(57)【要約】【課題】  パソコンをリモコンによって遠隔操作する際のセキュリティ上の問題を改善し、第三者による不正行為を防止する。【解決手段】  パソコン１０１を遠隔操作するために、ユーザがパソコン１０１のリモートコントロール機能を有する携帯電話機１０２を所持してパソコン１０１の設置場所から離れると、パソコン１０１に設けられたＲＦＩＤタグ読取機１２６で携帯電話機１０２に設けられたＲＦＩＤタグ１１２が物理的に読み取れなくなり、制御手段１２７によって、リモートコントロール操作は許可し、キーボード１２３およびマウス１２４などのローカル操作は禁止する状態に設定される。ユーザが再びパソコン１０１の近くに戻ってくると、ＲＦＩＤタグ１１２の読み取りが物理的に可能になり、制御手段１２７はローカル操作の禁止状態を解除する。【選択図】  図１
2006270803.tif 000002
【特許請求の範囲】
【請求項１】
情報処理装置とそのリモートコントロール装置とで構成され、
前記リモートコントロール装置に、所定情報を記憶するＲＦＩＤタグを備え、
前記情報処理装置に、自装置の近傍に存在するＲＦＩＤタグの情報を周期的に読み取るＲＦＩＤタグ読取機と、該ＲＦＩＤタグ読取機で読み取られた情報と前記所定情報とを比較して自装置の近傍に前記リモートコントロール装置が存在するか否かを判定し、存在しないと判定したときに、前記リモートコントロール装置からのリモート操作は許可しローカル操作は禁止する状態に自装置を設定する制御手段とを備えることを特徴とする情報処理装置の遠隔制御システム。
【請求項２】
前記情報処理装置の前記制御手段は、前記リモートコントロール装置が自装置の近傍に存在すると判定したとき、ローカル操作を許可する状態に自装置を設定するものであることを特徴とする請求項１記載の情報処理装置の遠隔制御システム。
【請求項３】
前記リモートコントロール装置は、パスワードを含む遠隔制御信号を送信する制御手段を備え、前記情報処理装置の前記制御手段は、受信した遠隔制御信号中のパスワードが予め定められたパスワードと一致した場合に限り前記遠隔制御信号を受け付けるものであることを特徴とする請求項２記載の情報処理装置の遠隔制御システム。
【請求項４】
前記リモートコントロール装置が携帯電話機であることを特徴とする請求項１、２または３記載の情報処理装置の遠隔制御システム。
【請求項５】
自装置の近傍に存在するＲＦＩＤタグの情報を周期的に読み取るＲＦＩＤタグ読取機と、該ＲＦＩＤタグ読取機で読み取られた情報と前記所定情報とを比較して自装置の近傍に所定情報を記憶するＲＦＩＤタグを備えたリモートコントロール装置が存在するか否かを判定し、存在しないと判定したときに、前記リモートコントロール装置からのリモート操作は許可しローカル操作は禁止する状態に自装置を設定する制御手段とを備えることを特徴とする情報処理装置。
【請求項６】
前記制御手段は、前記リモートコントロール装置が自装置の近傍に存在すると判定したとき、ローカル操作を許可する状態に自装置を設定するものであることを特徴とする請求項５記載の情報処理装置。
【請求項７】
前記制御手段は、前記リモートコントロール装置から受信した遠隔制御信号中のパスワードが予め定められたパスワードと一致した場合に限り前記遠隔制御信号を受け付けるものであることを特徴とする請求項６記載の情報処理装置。
【請求項８】
コンピュータを、自装置の近傍に存在するＲＦＩＤタグの情報を周期的に読み取るＲＦＩＤタグ読取手段、該ＲＦＩＤタグ読取手段で読み取られた情報と前記所定情報とを比較して自装置の近傍に所定情報を記憶するＲＦＩＤタグを備えたリモートコントロール装置が存在するか否かを判定し、存在しないと判定したときに、前記リモートコントロール装置からのリモート操作は許可しローカル操作は禁止する状態に自装置を設定する制御手段、として機能させるためのプログラム。
【請求項９】
前記制御手段は、前記リモートコントロール装置が自装置の近傍に存在すると判定したとき、ローカル操作を許可する状態に自装置を設定するものであることを特徴とする請求項８記載のプログラム。
【発明の詳細な説明】
【技術分野】
【０００１】
本発明はパーソナルコンピュータ等の情報処理装置をリモートコントロール装置により遠隔操作するシステムに関する。
【背景技術】
【０００２】
パーソナルコンピュータ（以下、パソコンと略す）などの情報処理装置を遠隔制御する従来技術として、特許文献１に記載される遠隔制御システムがある。この遠隔制御システムでは、パソコンを動作させるための制御情報を携帯電話からインターネット経由でサーバに送信してサーバ記憶部に記憶させ、携帯電話からパソコンに電話をかける。パソコンは、電話接続時に通知される発信者電話番号が所定の前記携帯電話からのものであることを検知すると、サーバに記憶されている前記制御情報をダウンロードし、その制御情報に示された動作を行う。
【０００３】
情報処理装置を遠隔制御する他の従来技術が、特許文献２に記載されている。この従来技術では、Ｗｅｂブラウザを搭載したパソコンに、ケータイ型入力装置を赤外線インタフェースなどを通じて接続し、ケータイ型入力装置からの入力操作でパソコンのＷｅｂブラウザを操作できるようにしている。
【０００４】
また遠隔制御に関する他の技術として、特許文献３および特許文献４に記載される技術がある。特許文献３に記載される従来技術では、携帯電話をリモートコントロール装置（以下、リモコンと略す）として動作させるのに必要な種々のリモートコントロールプログラムをサーバ上に保持し、必要なリモートコントロールプログラムをサーバから携帯電話にダウンロードして利用する。また、特許文献４には、赤外線通信機能を有する携帯電話を種々の電子機器のリモコンとして利用できるようにする技術が示されている。
【特許文献１】特開２００１−３２０４９６号公報
【特許文献２】特開２００２−１５７０７０号公報
【特許文献３】特開２００２−１８６０６３号公報
【特許文献４】特開２００４−１７３２４１号公報
【発明の開示】
【発明が解決しようとする課題】
【０００５】
リモコンによる遠隔制御の利点の一つは、離れた場所から被制御機器を制御できることであるが、そのことは被制御機器がパソコンなどの情報処理装置である場合、セキュリティ上の問題を引き起こす。何故なら、リモコン操作を行う場合、利用者は情報処理装置を起動させた状態でその場から離れるため、悪意のある第三者が情報処理装置に近づいて機密情報の読み出しなどの操作を行うことができ、しかも利用者は離れているためにそのような不正行為を発見し難いためである。勿論、席を離れる際に情報処理装置をシャットダウンすれば、そのような不正行為は防止できるが、リモコンによる遠隔操作自体が不可能になる。
【０００６】
本発明の目的は、情報処理装置をリモコンによって遠隔操作する際のセキュリティ上の問題を改善し、第三者による不正行為を防止することにある。
【課題を解決するための手段】
【０００７】
本発明の第１の情報処理装置の遠隔制御システムは、情報処理装置とそのリモートコントロール装置とで構成され、前記リモートコントロール装置に、所定情報を記憶するＲＦＩＤタグを備え、前記情報処理装置に、自装置の近傍に存在するＲＦＩＤタグの情報を周期的に読み取るＲＦＩＤタグ読取機と、該ＲＦＩＤタグ読取機で読み取られた情報と前記所定情報とを比較して自装置の近傍に前記リモートコントロール装置が存在するか否かを判定し、存在しないと判定したときに、前記リモートコントロール装置からのリモート操作は許可しローカル操作は禁止する状態に自装置を設定する制御手段とを備えることを特徴とする。
【０００８】
本発明の第２の情報処理装置の遠隔制御システムは、第１の情報処理装置の遠隔制御システムにおいて、前記情報処理装置の前記制御手段は、前記リモートコントロール装置が自装置の近傍に存在すると判定したとき、ローカル操作を許可する状態に自装置を設定するものであることを特徴とする。
【０００９】
本発明の第３の情報処理装置の遠隔制御システムは、第２の情報処理装置の遠隔制御システムにおいて、前記リモートコントロール装置は、パスワードを含む遠隔制御信号を送信する制御手段を備え、前記情報処理装置の前記制御手段は、受信した遠隔制御信号中のパスワードが予め定められたパスワードと一致した場合に限り前記遠隔制御信号を受け付けるものであることを特徴とする。
【００１０】
本発明の第４の情報処理装置の遠隔制御システムは、第１、第２または第３の情報処理装置の遠隔制御システムにおいて、前記リモートコントロール装置が携帯電話機であることを特徴とする。
【００１１】
本発明の第１の情報処理装置は、自装置の近傍に存在するＲＦＩＤタグの情報を周期的に読み取るＲＦＩＤタグ読取機と、該ＲＦＩＤタグ読取機で読み取られた情報と前記所定情報とを比較して自装置の近傍に所定情報を記憶するＲＦＩＤタグを備えたリモートコントロール装置が存在するか否かを判定し、存在しないと判定したときに、前記リモートコントロール装置からのリモート操作は許可しローカル操作は禁止する状態に自装置を設定する制御手段とを備えることを特徴とする。
【００１２】
本発明の第２の情報処理装置は、第１の情報処理装置において、前記制御手段は、前記リモートコントロール装置が自装置の近傍に存在すると判定したとき、ローカル操作を許可する状態に自装置を設定するものであることを特徴とする。
【００１３】
本発明の第３の情報処理装置は、第２の情報処理装置において、前記制御手段は、前記リモートコントロール装置から受信した遠隔制御信号中のパスワードが予め定められたパスワードと一致した場合に限り前記遠隔制御信号を受け付けるものであることを特徴とする。
【００１４】
『作用』
パソコンなどの情報処理装置を遠隔操作するために、ユーザがリモートコントロール装置を所持して情報処理装置の設置場所から離れると、情報処理装置に設けられたＲＦＩＤタグ読取機でリモートコントロール装置に設けられたＲＦＩＤタグが物理的に読み取れなくなり、情報処理装置の制御手段によって、リモートコントロール装置によるリモート操作は許可し、キーボードおよびマウスなどのローカル操作は禁止する状態に設定される。ユーザが再び情報処理装置の傍に戻ってくると、ＲＦＩＤタグの読み取りが物理的に可能になり、ローカル操作の禁止状態が解除される。
【発明の効果】
【００１５】
本発明によれば、情報処理装置をリモートコントロール装置で遠隔操作する際のセキュリティを確保することができる。その理由は、情報処理装置を遠隔操作するためにユーザがリモートコントロール装置を所持して情報処理装置の設置場所から離れると、ＲＦＩＤタグ読取機でＲＦＩＤタグのＩＤ情報が読み取れなくなり、制御手段によって、リモートコントロール装置からのリモート操作は許可しつつ、キーボードおよびマウスなどのローカル操作を禁止するため、悪意のある第三者が情報処理装置に近づいても操作できないからである。
【発明を実施するための最良の形態】
【００１６】
次に本発明の実施の形態について図面を参照して詳細に説明する。
【００１７】
図１を参照すると、本発明の実施の形態にかかる情報処理装置の遠隔制御システムは、パソコン１０１と携帯電話機１０２とで構成される。
【００１８】
携帯電話機１０２は、通常の携帯電話機としての機能とパソコン１０１のリモートコントロール機能とを備える。パソコン１０１をリモートコントロールするための遠隔制御信号は、携帯電話機１０２の赤外線受発光部１１１から赤外線信号として発射される。
【００１９】
遠隔制御信号は、図２に示すように、ヘッダ情報２０１とパスワード２０２と制御コード２０３と場合によっては更にデータ２０４とで構成される。制御コード２０３は、パソコン１０１に与える指示や命令である。このような指示や命令の例としては、ブラウザの起動やショートカットからのホームページ起動など通常のブラウザの機能を遠隔制御するためのものや、メールソフトの起動やメールの送受信などメール機能を遠隔制御するためのものなど各種考えられる。パスワード２０２は、この携帯電話機１０２とパソコン１０１との組み合わせに対して事前に設定された文字列などで構成される。データ２０４は、携帯電話機１０２からパソコン１０１へテキストや画像データなどのデータを送る際に付加される。ヘッダ情報２０１は、パスワード２０２のビット数や全データのビット数など所定の情報を保持する。
【００２０】
また携帯電話機１０２には、携帯電話機１０２固有のＩＤを記憶するＲＦＩＤタグ１１２が取り付けられている。
【００２１】
他方、パソコン１０１は、ＣＰＵやメモリなどの基幹部品を収納したコンピュータ本体１２１と、ＬＣＤなどのディスプレイ１２２と、キーボード１２３と、マウス１２４とで構成される。コンピュータ本体１２１には、赤外線受発光部１２５があり、携帯電話機１０２から発射された赤外線信号はこの赤外線受発光部１２５で受光され、制御手段１２７に送られる。制御手段１２７は、受信された赤外線信号による遠隔制御信号に含まれるパスワードが予め自パソコン１０１に設定されたパスワードと一致するか否かを調べ、一致しない場合には今回受信した制御信号を無視し、一致した場合には制御コード２０３のデコード結果に基づいてコンピュータ本体１２１上で稼働する各種ソフトウェアを制御する。この制御の結果、パソコン１０１側から携帯電話機１０２側へのデータ転送が必要になった場合、赤外線受発光部１２５から赤外線信号として送信され、携帯電話機１０２の赤外線受発光部１１１で受信される。
【００２２】
またコンピュータ本体１２１には、自装置の近傍に存在するＲＦＩＤタグ１１２に記憶された情報を周期的に読み取り、読み取った情報を制御手段１２７に伝達するＲＦＩＤタグ読取機１２６が設けられている。制御手段１２７は、ＲＦＩＤタグ読取機１２６で読み取られた情報と予め定められたＩＤとを比較して、自装置の近傍に所定のＩＤを記憶したＲＦＩＤタグ１１２を有する携帯電話機１０２が存在するか否かを判定し、その判定結果に応じてパソコン１０１の状態をコントロールする。具体的には、制御手段１２７は、自装置の近傍に所定のＩＤを記憶したＲＦＩＤタグ１１２を有する携帯電話機１０２が存在しないと判定したとき、携帯電話機１０２からのリモート操作は許可し、キーボード１２３およびマウス１２４などのローカル操作は禁止する状態に自パソコン１０１の状態を設定する。また、制御手段１２７は、自装置の近傍に所定のＩＤを記憶したＲＦＩＤタグ１１２を有する携帯電話機１０２が存在すると判定したとき、前記ローカル操作を許可する状態に自パソコン１０１を設定する。
【００２３】
ここで、ＲＦＩＤタグ読取機１２６がＲＦＩＤタグ１１２に記憶されたＩＤを読み取れる距離は、数ｍ程度、例えば２ｍ程度に設定される。
【００２４】
このような構成を有する本実施の形態によれば、以下のような効果が得られる。
【００２５】
パソコン１０１を携帯電話機１０２で遠隔操作する際のセキュリティが確保される。その理由は、パソコン１０１を遠隔操作するためにユーザが携帯電話機１０２を所持してパソコン１０１の設置場所から離れると、ＲＦＩＤタグ読取機１２６でＲＦＩＤタグ１１２のＩＤ情報が読み取れなくなり、制御手段１２７によってキーボード１２３およびマウス１２４などのローカル操作が禁止されるため、悪意のある第三者がパソコン１０１に近づいても操作できないからである。また、携帯電話機１０２による遠隔操作自体も、所定のパスワードと一致するパスワードを含む遠隔制御信号でなければ、パソコン１０１側が受け付けないためである。
【実施例】
【００２６】
次に本実施の形態の実施例について図面を参照して詳細に説明する。
【００２７】
図３を参照すると、パソコン１０１の一実施例は、ＭＰＵ３０１と、そのバス３０２に接続されたＲＯＭ３０３、ＲＡＭ３０４、ディスクコントローラ３０５、表示コントローラ３０６、スイッチ３０７、通信コントローラ３０８およびＲＦＩＤタグ読取機３０９と、ディスクコントローラ３０５に接続されたディスク装置３１１と、表示コントローラ３０６に接続された表示装置３１２と、スイッチ３０７を通じてＭＰＵ３０１のバス３０２に接続されたインタフェース３１３と、このインタフェース３１３に接続されたキーボード３１４およびマウス３１５と、通信コントローラ３０８に接続された赤外線受発光部３１６とで構成されている。
【００２８】
スイッチ３０７は、ＭＰＵ３０１からバス３０２を通じて出力される状態切替信号３２１がオン（例えば論理値１）の場合、インタフェース３１３を通じてキーボード３１４およびマウス３１５から送られてくる信号をそのまま通過してバス３０２に出力し、状態切替信号３２１がオフ（例えば論理値０）の場合、インタフェース３１３からの信号を遮断しバス３０２へは出力しない。
【００２９】
ＲＦＩＤタグ読取機３０９は図１のＲＦＩＤタグ読取機１２６に相当し、赤外線受発光部３１６は図１の赤外線受発光部１２５に相当する。ＲＯＭ３０３、ＲＡＭ３０４及びディスク装置３１１の各記憶部は、プログラムやデータなどを記憶するために使用される。
【００３０】
図４はディスク装置３１１等の記憶部に記憶された状態設定プログラムによる処理例を示す。ＭＰＵ３０１は、パソコン１０１の電源が投入され、システムが立ち上がると、この状態設定プログラムの実行を開始する。先ず、ＲＦＩＤタグ読取機３０９により周囲に存在するＲＦＩＤタグ１１２の情報を読み取る（ステップＳ４０１）。次に、データの読取りに成功した場合、読み取ったデータが状態設定プログラムによって管理される磁気ディスク装置３１１の所定のアドレスに予め記憶されているＩＤと一致するかどうかを判定する（ステップＳ４０２）。
【００３１】
データの読取りに失敗するか、成功しても読み取ったデータが所定のＩＤと一致しない場合（ステップＳ４０２でＮＯ）、ＭＰＵ３０１は、現在のパソコン１０１の状態がローカル操作禁止状態でなければ（ステップＳ４０３でＮＯ）、状態切替信号３２１をオフにしてパソコン１０１の状態をローカル操作禁止状態とする（ステップＳ４０４）。そして、ステップＳ４０７へ進む。
【００３２】
他方、データの読取りに成功し、読み取ったデータが所定のＩＤと一致した場合（ステップＳ４０２でＹＥＳ）、現在のパソコン１０１の状態がローカル操作禁止状態であれば（ステップＳ４０５でＹＥＳ）、状態切替信号３２１をオンにして、ローカル操作禁止状態を解除する（ステップＳ４０６）。そして、ステップＳ４０７へ進む。
【００３３】
ステップＳ４０７では、予め定められた時間（例えば数秒程度）ウエイトし、その後にステップＳ４０１に戻って上述した処理と同様の処理を繰り返す。
【００３４】
図５はディスク装置３１１等の記憶部に記憶された被制御側リモートコントロールプログラムによる処理例を示す。ＭＰＵ３０１は、赤外線受発光部３１６で遠隔制御信号を受信すると（ステップＳ５０１）、受信した遠隔制御信号の所定の位置からパスワードを抽出して、被制御側リモートコントロールプログラムによって管理される磁気ディスク装置３１１の所定のアドレスに予め記憶されているパスワードと一致するかどうかを判定する（ステップＳ５０２）。読み取ったパスワードが所定のパスワードと一致しない場合（ステップＳ５０２でＮＯ）、今回受信した遠隔制御信号を破棄し、図５の処理を終える。パスワードが一致した場合は（ステップＳ５０２でＹＥＳ）、遠隔制御信号から制御コードを抽出してデコードし（ステップＳ５０３）、そのデコード結果に応じた処理を実行する（ステップＳ５０４）。
【００３５】
図６は携帯電話機１０２の一実施例を示すブロック図である。携帯電話機１０２の全体を制御する制御部６０１はＭＰＵ等を含んで構成され、この制御部６０１にＥＥＰＲＯＭ６０２、ＲＡＭ６０３、無線部６０４、操作部６０５、報知駆動部６０６、受話および送話用の駆動部６０７、表示用の駆動部６０８および赤外線受発光部用の駆動部６０９が接続されている。また、無線部６０４にはアンテナ６１１が、報知駆動部６０６には着信ランプ６１２およびサウンダー６１３が、受話および送話用の駆動部６０７には受話部６１４および送話部６１５が、表示用の駆動部６０８には表示部６１６が、そして駆動部６０９には赤外線受発光部６１７がそれぞれ接続されている。
【００３６】
ＥＥＰＲＯＭ６０２は、各種のプログラム及びデータを記憶する。制御部６０１はＥＥＰＲＯＭ６０２に記憶されたプログラムを実行することにより、携帯電話機１０２の主たる制御を行う。記憶されるプログラムは、携帯電話機１０２を音声通信としての電話機およびデータ通信としての端末機として機能させるプログラム、携帯電話機１０２をパソコン１０１のリモートコントロール装置として機能させるプログラムを含む。
【００３７】
ＲＡＭ６０３は、制御部６０１の制御に際して一時的に保持するデータの記憶用に使用される。無線部６０４は、アンテナ６１１を介して基地局と無線信号を送受信する部分である。この無線部６０４は、携帯電話機１０２を電話として使用する際に必要な基地局との間のダイヤル信号等の制御データや送受話信号を無線電波に変換して送受信する機能と、電子メールの送受信やコンテンツの受信を例えばパケット通信で行うデータ通信機能とを有している。
【００３８】
操作部６０５は、数字や記号のキーおよび各種ファンクションキーで構成される。報知駆動部６０６は、着信があった旨を着信ランプ６１２の点滅、サウンダー６１３の鳴動の何れかで利用者に通知する部分である。受話および送話用の駆動部６０７は、制御部６０１から送出される受話信号を増幅して受話部６１４を駆動し、また送話部６１５からの送話信号を増幅して制御部６０１へ出力する。表示用の駆動部６０８は、制御部６０１から出力される画像情報を受け取って内蔵の表示メモリを更新し、この表示メモリから画像情報を読み出して表示部６１６に表示する。
【００３９】
駆動部６０９は、制御部６０１から送出される遠隔制御信号などを増幅して赤外線受発光部６１７における赤外発光ダイオード等の発光素子を駆動し、またフォトダイオードなどの受光素子で光電変換された受信信号を増幅しディジタル化して制御部６０１に出力する。
【００４０】
図７はＥＥＰＲＯＭ６０２に記憶された制御側リモートコントロールプログラムによる処理例を示す。操作部６０５においてパソコン１０１を遠隔操作するための所定のキー操作が行われると、制御部６０１はその操作に応じて制御コードを生成し（ステップＳ７０１）、制御側リモートコントロールプログラムが管理するＥＥＰＲＯＭ６０２上のアドレスに予め設定されたパスワードを付加し、更に所定の通信ヘッダを付加して遠隔制御信号を生成する（ステップＳ７０２）。そして、生成した遠隔制御信号を駆動部６０９に送り、赤外線受発光部６１７から赤外線信号として送出させる。
【００４１】
以上、本発明の実施の形態および実施例について説明したが、本発明は以上の例に限定されず、その他各種の付加変更が可能である。例えば、前述した例では、遠隔制御信号の伝送媒体に赤外線を用いたが、無線信号や超音波信号など他の伝送媒体を使用することも可能である。また、パソコン１０１のリモコンとして携帯電話機を使用したが、携帯電話機以外の装置をパソコン１０１のリモコンとすることができる。例えば、テレビ機能を有するパソコンには、パソコンのテレビ機能を遠隔制御する専用のリモコンが付いているが、そのような専用リモコンにＲＦＩＤタグ１１２を付けることで、前記実施例と同様の効果が得られる。
【図面の簡単な説明】
【００４２】
【図１】本発明の一実施の形態のブロック図である。
【図２】遠隔制御信号のフォーマット例を示す図である。
【図３】本発明の一実施例にかかるパソコンのブロック図である。
【図４】パソコン側で動作する状態設定プログラムによる処理例を示すフローチャートである。
【図５】パソコン側で動作する被制御側リモートコントロールプログラムによる処理例を示すフローチャートである。
【図６】本発明の一実施例にかかる携帯電話機のブロック図である。
【図７】携帯電話機側で動作する制御側リモートコントロールプログラムによる処理例を示すフローチャートである。
【符号の説明】
【００４３】
１０１…パソコン
１０２…携帯電話機
１１１…赤外線受発光部
１１２…ＲＦＩＤタグ
１２１…コンピュータ本体
１２２…ディスプレイ
１２３…キーボード
１２４…マウス
１２５…赤外線受発光部
１２６…ＲＦＩＤタグ読取機
１２７…制御手段
【図１】
2006270803.tif 000003
【図２】
2006270803.tif 000004
【図３】
2006270803.tif 000005
【図４】
2006270803.tif 000006
【図５】
2006270803.tif 000007
【図６】
2006270803.tif 000008
【図７】
2006270803.tif 000009